(57)【要約】【課題】極数に応じた使い分け等が可能なコネクタ嵌合構造を提供する。【解決手段】第一コネクタ１、第二コネクタ２は、貫通孔５のサイズよりも小さなサイズの第一コネクタハウジング８、第二コネクタハウジング９を備えてなるものとなっている。第一コネクタ１及び／又は第二コネクタ２は、貫通孔５を介して壁６の他方側１０から一方側７へ挿通されるものとなっている。第三コネクタ３、３′は、貫通孔５のサイズよりも大きなサイズとなり且つ第一コネクタ１及び第二コネクタ２を組み合わせた状態の第四コネクタ４を嵌合させることが可能であるとともに第一コネクタ１又は第二コネクタ２を単独で嵌合させることも可能な第三コネクタハウジング１２を備えてなるものとなっている。【選択図】図１
2010170702.tif 000002
【特許請求の範囲】
【請求項１】
コネクタ同士の嵌合に係る構造において、
前記コネクタは、第一コネクタ及び／又は第二コネクタと、第三コネクタとであるとともに、貫通孔を有する壁の一方側で嵌合し合うコネクタであり、
前記第一コネクタは、前記貫通孔のサイズよりも小さなサイズの第一コネクタハウジングを備え且つ前記貫通孔を介して前記壁の他方側から一方側へ挿通されるものであり、
前記第二コネクタは、前記第一コネクタと同様に、前記貫通孔のサイズよりも小さなサイズの第二コネクタハウジングを備え且つ前記貫通孔を介して前記壁の他方側から一方側へ挿通されるものであり、
前記第三コネクタは、前記貫通孔のサイズよりも大きなサイズとなり且つ前記第一コネクタ及び前記第二コネクタを組み合わせた状態で嵌合させることが可能であるとともに前記第一コネクタ又は前記第二コネクタを単独で嵌合させることも可能な第三コネクタハウジングを備えてなるものである
ことを特徴とするコネクタ嵌合構造。
【請求項２】
請求項１に記載のコネクタ嵌合構造において、
前記第三コネクタは、前記第一コネクタ及び前記第二コネクタを組み合わせた状態を収容する収容空間へハウジング側壁から突出する位置決めリブを有し、
該位置決めリブは、前記第一コネクタ及び前記第二コネクタを組み合わせた状態且つ前記第三コネクタに嵌合させた状態で、前記第一コネクタ及び前記第二コネクタの側面側に位置し、前記第一コネクタ又は前記第二コネクタを単独で前記第三コネクタに嵌合させた状態では、前記第一コネクタ又は前記第二コネクタの下面側に位置する
ことを特徴とするコネクタ嵌合構造。
【発明の詳細な説明】
【技術分野】
【０００１】
本発明は、コネクタ同士の嵌合に係るコネクタ嵌合構造に関する。
【背景技術】
【０００２】
貫通孔を有する壁の一方側で嵌合し合うコネクタ同士の嵌合構造としては、例えば下記特許文献１に開示された構造が知られている。この嵌合構造は、自動車用ドアの構造に係るものとして提案されている。下記特許文献１には、アウタパネルに取り付けられるリモコンミラーと、このリモコンミラーを制御するためのミラー用コネクタと、貫通孔を有するインナパネルと、インナパネルの内側（車室側）に配索されるドア用ワイヤハーネスと、このハーネスの端末に設けられるハーネス用コネクタとが開示されている。
【０００３】
ハーネス用コネクタは、貫通孔を介してインナパネルの内側から外側へ挿通された後にミラー用コネクタと嵌合し、これによって電気的な接続が完了するようになっている（尚、下記特許文献１には、ミラー用コネクタがインナパネルの内側に挿通されてハーネス用コネクタと嵌合する例も開示されている）。
【０００４】
インナパネルの貫通孔は、ハーネス用コネクタ又はミラー用コネクタの挿通が可能になる程度の大きさに貫通形成されている。貫通孔を小さく形成するのは、防水性に配慮してのことである。
【先行技術文献】
【特許文献】
【０００５】
【特許文献１】特開平１１−３２１４８５号公報
【発明の概要】
【発明が解決しようとする課題】
【０００６】
ところで、上記従来技術にあっては、近年の高機能化に伴い次のような問題点を有している。すなわち、コネクタの極数を多く（端子の数を多く）したいという要望に応えるためにコネクタを大きくすると、これと一緒に貫通孔のサイズも大きくする必要があることから、防水性の確保に影響を来してしまうという問題点を有している。
【０００７】
尚、貫通孔のサイズ変更をすることが設計的にできない場合もあり、この場合、極数を多くすることが不可能になるのは勿論のこと、電気的な接続を行うこともできないという問題点を有している。
【０００８】
極数を多くすることにあたり、例えばハーネス用コネクタ及びミラー用コネクタをそれぞれ二つずつにして各々挿通すれば、貫通孔のサイズを変更しなくてもよくなると考えられるが、コネクタ同士の嵌合作業（接続作業）が一回から二回に増えてしまうことから、作業性の面で影響を来してしまうことになる。また、ハーネス用コネクタ及びミラー用コネクタをそれぞれ二つずつにすれば、部品点数の増加にも繋がってしまうことにもなる。
【０００９】
この他、車種やグレードによっては、従来通りのハーネス用コネクタ及びミラー用コネクタを用いてこれらを嵌合させることもあることから、従来通りの極数となるコネクタ同士を嵌合させる場合と、極数を多くしたコネクタ同士を嵌合させる場合との二パターンを使い分けなければならず、結果、部品管理の煩雑化や工数増加を招いてしまうという問題点を有している。
【００１０】
本発明は、上記した事情に鑑みてなされたもので、極数が多いコネクタであっても、且つ挿通する貫通孔のサイズが小さくても、貫通孔の一方側でコネクタ同士の嵌合を行うことが可能なコネクタ嵌合構造、また、極数に応じた使い分けが可能なコネクタ嵌合構造、さらには、嵌合作業数の増加や部品点数の増加に繋がらず部品管理も容易にすることが可能なコネクタ嵌合構造を提供することを課題とする。
【課題を解決するための手段】
【００１１】
上記課題を解決するためになされた請求項１記載の本発明のコネクタ嵌合構造は、コネクタ同士の嵌合に係る構造において、前記コネクタは、第一コネクタ及び／又は第二コネクタと、第三コネクタとであるとともに、貫通孔を有する壁の一方側で嵌合し合うコネクタであり、前記第一コネクタは、前記貫通孔のサイズよりも小さなサイズの第一コネクタハウジングを備え且つ前記貫通孔を介して前記壁の他方側から一方側へ挿通されるものであり、前記第二コネクタは、前記第一コネクタと同様に、前記貫通孔のサイズよりも小さなサイズの第二コネクタハウジングを備え且つ前記貫通孔を介して前記壁の他方側から一方側へ挿通されるものであり、前記第三コネクタは、前記貫通孔のサイズよりも大きなサイズとなり且つ前記第一コネクタ及び前記第二コネクタを組み合わせた状態で嵌合させることが可能であるとともに前記第一コネクタ又は前記第二コネクタを単独で嵌合させることも可能な第三コネクタハウジングを備えてなるものであることを特徴としている。
【００１２】
このような特徴を有する本発明によれば、貫通孔を介して壁の他方側から一方側へ第一コネクタ及び第二コネクタを挿通した場合、壁の一方側で第一コネクタ及び第二コネクタを組み合わせ、そして、組み合わせた状態の第一コネクタ及び第二コネクタを第三コネクタに対して嵌合させるようにすれば、極数が多いコネクタであっても、且つ挿通する貫通孔のサイズが小さくても、且つ挿通する貫通孔のサイズ変更をしなくても、貫通孔の一方側でコネクタ同士の嵌合を行うことが可能になる。また、一回の嵌合作業で電気的な接続を完了させることが可能になる。
【００１３】
また、本発明によれば、貫通孔を介して壁の他方側から一方側へ第一コネクタ又は第二コネクタを挿通した場合、第一コネクタ又は第二コネクタを単独で第三コネクタに対して嵌合させるようにすれば、上記極数が多いコネクタ同士の嵌合の場合と併せて、極数に応じた使い分けが可能になる。極数に応じた使い分けが可能になることにより、本発明は部品管理を容易にすることや部品点数の増加抑制をすること等も可能になる。
【００１４】
請求項２記載の本発明のコネクタ嵌合構造は、請求項１に記載のコネクタ嵌合構造において、前記第三コネクタは、前記第一コネクタ及び前記第二コネクタを組み合わせた状態を収容する収容空間へハウジング側壁から突出する位置決めリブを有し、該位置決めリブは、前記第一コネクタ及び前記第二コネクタを組み合わせた状態且つ前記第三コネクタに嵌合させた状態で、前記第一コネクタ及び前記第二コネクタの側面側に位置し、前記第一コネクタ又は前記第二コネクタを単独で前記第三コネクタに嵌合させた状態では、前記第一コネクタ又は前記第二コネクタの下面側に位置することを特徴としている。
【００１５】
このような特徴を有する本発明によれば、位置決めリブは、合体状態でも、単独状態でも、コネクタ位置決め機能を有する。
【００１６】
この他、本発明のコネクタ嵌合構造は次のような特徴も有する。すなわち、本発明のコネクタ嵌合構造において、前記組み合わせに関し、前記第一コネクタハウジング及び前記第二コネクタハウジングは、前記第一コネクタ及び前記第二コネクタと、前記第三コネクタとの嵌合方向に直交する方向にスライドさせて合体する合体構造部を有することを特徴としている。このような特徴によれば、第三コネクタとの嵌合の際や嵌合の後に、合体した状態の第一コネクタ及び第二コネクタの位置ズレを生じ難くすることが可能になる。
【発明の効果】
【００１７】
請求項１に記載された本発明によれば、極数が多いコネクタであっても、且つ挿通する貫通孔のサイズが小さくても、且つ挿通する貫通孔のサイズ変更をしなくても、貫通孔の一方側でコネクタ同士の嵌合を行うことができるという効果を奏する。また、本発明によれば、極数が多いコネクタであっても、且つ挿通する貫通孔のサイズが小さくても、嵌合作業数の増加に繋がらないようにすることができるという効果を奏する。さらに、本発明によれば、極数に応じた使い分けをすることができるという効果を奏する。さらにまた、本発明によれば、極数に応じた使い分けによって、部品管理を容易にすることや、部品点数の増加抑制をすることができるという効果を奏する。
【００１８】
請求項２に記載された本発明によれば、位置決めリブを有することにより、合体状態でも、単独状態でも、コネクタ位置決めをすることができるという効果を奏する。
【図面の簡単な説明】
【００１９】
【図１】本発明のコネクタ嵌合構造の実施の形態を示す模式図であり、（ａ）及び（ｃ）はコネクタ同士の嵌合前の状態を示す模式図、（ｂ）及び（ｄ）はコネクタ同士の嵌合後の状態を示す模式図である。
【図２】第一コネクタを示す斜視図である。
【図３】第二コネクタを示す斜視図である。
【図４】第一コネクタ及び第二コネクタ同士の合体前の状態を示す斜視図である。
【図５】第一コネクタ及び第二コネクタ同士の合体後の状態を示すとともに第四コネクタを示す斜視図である。
【図６】合体構造部を示す要部拡大図である。
【図７】第三コネクタを示す斜視図である。
【図８】第三コネクタを示す正面図である。
【図９】第三コネクタ及び第四コネクタのコネクタ嵌合状態を示す斜視図である。
【発明を実施するための形態】
【００２０】
以下、図面を参照しながら説明する。図１は本発明のコネクタ嵌合構造の実施の形態を示す模式図であり、（ａ）及び（ｃ）はコネクタ同士の嵌合前の状態を示す模式図、（ｂ）及び（ｄ）はコネクタ同士の嵌合後の状態を示す模式図である。
【００２１】
図１において、引用符号１は第一コネクタ、引用符号２は第二コネクタ、引用符号３、３′は第三コネクタを示している。また、引用符号４は第一コネクタ１及び第二コネクタ２を合体させてなる第四コネクタを示している。本発明のコネクタ嵌合構造は、貫通孔５を有する壁６の一方側７で嵌合し合う第三コネクタ３と第四コネクタ４との嵌合構造や、第三コネクタ３′と第一コネクタ１との嵌合構造となっている（特に図示しないが第三コネクタと第二コネクタ２との嵌合構造も可能であるものとする）。
【００２２】
第一コネクタ１は、貫通孔５のサイズよりも小さなサイズの第一コネクタハウジング８を備えてなるものとなっている。また、第二コネクタ２も貫通孔５のサイズよりも小さなサイズの第二コネクタハウジング９を備えてなるものとなっている。第一コネクタ１及び／又は第二コネクタ２は、貫通孔５を介して壁６の他方側１０から一方側７へ挿通されるものとなっている。
【００２３】
第一コネクタ１及び第二コネクタ２は、本形態において、それぞれ９つの極数（端子の数）を有するコネクタとなっている。第一コネクタ１及び第二コネクタ２からは、電線１１が引き出されている。尚、電線１１は、束ねるようにしても良いものとする。
【００２４】
第三コネクタ３（３′）は、貫通孔５のサイズよりも大きなサイズとなり且つ第一コネクタ１及び第二コネクタ２を組み合わせた状態の第四コネクタ４を嵌合させることが可能であるとともに第一コネクタ１又は第二コネクタ２を単独で嵌合させることも可能な第三コネクタハウジング１２を備えてなるものとなっている。
【００２５】
第三コネクタ３は、本形態において、１８の極数（端子の数）を有するコネクタとなっている（第三コネクタ３′は、９つの極数を有するコネクタとなっている）。第三コネクタ３（３′）から引き出される電線１３は、特に限定するものでないが、図示の如く束ねられている。
【００２６】
上記構成において、図１（ａ）に示す如く、貫通孔５を介して壁６の他方側１０から一方側７へ第一コネクタ１及び第二コネクタ２を各々挿通し、そして、壁６の一方側７で第一コネクタ１及び第二コネクタ２を合体させて（上下に重なるよう組み合わせて）第四コネクタ４を形成し、この後に形成した第四コネクタ４を、図１（ｂ）に示す如く、第三コネクタ３に対して嵌合させると、第一コネクタ１、第二コネクタ２、及び第三コネクタ３（第四コネクタ及び第三コネクタ３）の嵌合及び電気的な接続が完了する。
【００２７】
一方、図１（ｃ）に示す如く、貫通孔５を介して壁６の他方側１０から一方側７へ第一コネクタ１を挿通し、そして、壁６の一方側７で図１（ｄ）に示す如く第一コネクタ１を第三コネクタ３に対して単独で嵌合させると、第一コネクタ１及び第三コネクタ３の嵌合及び電気的な接続が完了する。
【００２８】
本発明によれば、極数が多いコネクタであっても、且つ挿通する貫通孔５のサイズが小さくても、且つ挿通する貫通孔５のサイズ変更をしなくても、貫通孔５の一方側７でコネクタ同士の嵌合を行うことができるという効果を奏する。また、本発明によれば、一回の嵌合作業で電気的な接続を完了させることができるという効果を奏する。さらに、本発明によれば、極数に応じた使い分けをすることができるという効果を奏する。さらにまた、本発明によれば、極数に応じた使い分けによって、部品管理を容易にすることや、部品点数の増加抑制をすることができるという効果を奏する。
【００２９】
引用符号２４、２９は合体構造部を示している。合体構造部２４、２９に関しては後述する。
【００３０】
次に、図２ないし図９を参照しながら、もう少し詳しく各コネクタや嵌合等について説明する。
【００３１】
図２は第一コネクタを示す斜視図、図３は第二コネクタを示す斜視図、図４は第一コネクタ及び第二コネクタ同士の合体前の状態を示す斜視図、図５は第一コネクタ及び第二コネクタ同士の合体後の状態を示すとともに第四コネクタを示す斜視図、図６は合体構造部を示す要部拡大図、図７は第三コネクタを示す斜視図、図８は第三コネクタを示す正面図、図９は第三コネクタ及び第四コネクタのコネクタ嵌合状態を示す斜視図である。
【００３２】
尚、各コネクタの図は、端子金具及び電線の図示を省略した状態で示すものとする（端子金具及び電線は公知のものを用いるものとする）。
【００３３】
図２において、第一コネクタ１は、第一コネクタハウジング８と、この第一コネクタハウジング８の端子収容室２１に収容・係止される図示しない端子金具と、端子収容室２１に収容・係止された端子金具を二重に係止するためのスペーサ２２とを備えて構成されている。
【００３４】
第一コネクタハウジング８は、貫通孔５（図１参照）のサイズよりも小さなサイズのものであって、この上部に突起形状のロック部２３（図４参照）を有するとともに、下部に合体構造部２４を有している。ロック部２３は、第三コネクタ３の第三コネクタハウジング１２（図９参照）との嵌合の際に用いられる部分として形成されている。合体構造部２４は、第一コネクタ１及び第二コネクタ２を合体させる（上下に重なるよう組み合わせる）際に用いられる部分として形成されている。第一コネクタハウジング８の合体構造部２４は、リブ２５と一対のボス２６とを有している。
【００３５】
リブ２５は、第三コネクタ３と第四コネクタ４との嵌合方向（図１参照）に直交する方向にのびるように形成されている。また、リブ２５は、第二コネクタハウジング９の後述する合体構造部２９（図３参照）に対してスライドしながら挿入される部分として形成されている。リブ２５には、一対のスライド部分２７が形成されている。このようなリブ２５の両側には、摺接面２８がそれぞれ形成されている。
【００３６】
一対のボス２６は、合体状態を維持するための部分として形成されている。一対のボス２６は、各摺接面２８に突出形成されている。一対のボス２６は、リブ２５の両側の所定位置に配置形成されている。
【００３７】
スペーサ２２は、第一コネクタハウジング８の下部であって合体構造部２４よりも後方に嵌合するように形成されている。スペーサ２２は、公知の機能を有しており、ここでは詳細な説明は省略するものとする。
【００３８】
図３において、第二コネクタ２は、上記第一コネクタ１（図２参照）と同様に、第二コネクタハウジング９と、この第二コネクタハウジング９の端子収容室２１に収容・係止される図示しない端子金具と、端子収容室２１に収容・係止された端子金具を二重に係止するためのスペーサ２２とを備えて構成されている（端子金具及びスペーサ２２は第一コネクタ１と同じであるものとする）。
【００３９】
第二コネクタハウジング９は、貫通孔５（図１参照）のサイズよりも小さなサイズのものであって、この下部に突起形状のロック部（図示省略。上記ロック部２３を参照）を有するとともに、上部に合体構造部２９を有している。ロック部は、第三コネクタ３の第三コネクタハウジング１２（図９参照）との嵌合の際に用いられる部分として形成されている。合体構造部２９は、第一コネクタ１及び第二コネクタ２を合体させる（組み合わせる）際に用いられる部分として形成されている。第二コネクタハウジング９の合体構造部２９は、リブ受け部３０と一対の凹部３１とを有している。
【００４０】
リブ受け部３０は、第三コネクタ３と第四コネクタ４との嵌合方向（図１参照）に直交する方向にのびるように形成されている。また、リブ受け部３０は、第一コネクタハウジング８のリブ２５（図２参照）のスライドを可能にする部分として形成されている。リブ受け部３０には、リブ２５のスライド部分２７を案内するためのガイド部分３２が一対形成されている。一対のガイド部分３２の上には、摺接面３３が各々形成されている。摺接面３３は、第一コネクタハウジング８の摺接面２８に対し摺接する部分として形成されている。
【００４１】
一対の凹部３１は、合体状態を維持するための部分として形成されている。一対の凹部３１は、第一コネクタハウジング８の一対のボス２６（図２参照）の位置に合わせて配置形成されている。一対の凹部３１は、一対のボス２６を引っ掛けるための係止部分３４を有している。
【００４２】
図４において、第一コネクタ１及び第二コネクタ２は、図中の矢印方向（第三コネクタ３と第四コネクタ４との嵌合方向（図１参照）に直交する方向）にスライドさせて各合体構造部２４、２９同士を係合させると、図５に示す如く第一コネクタ１及び第二コネクタ２が上下に合体して第四コネクタ４が形成される。合体に関しては、図６に示す如く、第一コネクタハウジング８のリブ２５が第二コネクタハウジング９のリブ受け部３０に挿入されて、各スライド部分２７が各ガイド部分３２に案内される。また、第一コネクタハウジング８の摺接面２８と第二コネクタハウジング９の摺接面３３とが摺接する。さらに、第一コネクタハウジング８の各ボス２６（図２参照）が第二コネクタハウジング９の各係止部分３４に引っ掛かって係止され、合体状態が維持される。
【００４３】
尚、第一コネクタ１又は第二コネクタ２を単独で用いる場合には、上記の合体を行うことはない。
【００４４】
図７及び図８において、第三コネクタ３は、第三コネクタハウジング１２と、この第三コネクタハウジング１２の端子収容室４１に収容・係止される図示しない端子金具と、端子収容室４１に収容・係止された端子金具を二重に係止するためのスペーサ４２（図９参照）とを備えて構成されている。
【００４５】
第三コネクタハウジング１２は、貫通孔５（図１参照）のサイズよりも大きなサイズのものであって、この上部及び下部にロック部４３を各々有している。ロック部４３は、第四コネクタ４（図５参照）との嵌合の際に用いられる部分、又は、第一コネクタ１単独や第二コネクタ２単独の嵌合の際に用いられる部分として形成されている。ロック部４３は、第一コネクタ１や第二コネクタ２のロック部２３を係止するためのロッキングアーム４４等を有している。尚、引用符号４５は、図示しないブラケット等に第三コネクタ３を固定するための固定部を示している。
【００４６】
第三コネクタハウジング１２は、この前部を開口させて形成されるコネクタ嵌合部４６を有している。コネクタ嵌合部４６は、上下に合体した状態の第一コネクタハウジング８、第二コネクタハウジング９を挿入し収容することができる形状に形成されている（収容空間を有する形状に形成されている）。このようなコネクタ嵌合部４６の両側部中間には、内方に突出する位置決めリブ４７が形成されている。位置決めリブ４７は、コネクタ嵌合部４６を上下二段の嵌合部にするように形成されている。位置決めリブ４７は、第一コネクタ１又は第二コネクタ２を単独で用いる場合に、言い換えれば第一コネクタハウジング８又は第二コネクタハウジング９を単独で嵌合させる場合に、位置決めとして機能するようになっている。また、位置決めリブ４７は、合体状態の第一コネクタ１及び第二コネクタ２を嵌合させる場合にも、位置決めとして機能するようになっている。
【００４７】
位置決めリブ４７に関し補足説明をすると、位置決めリブ４７は、第一コネクタ１及び第二コネクタ２を組み合わせた状態を収容する収容空間へハウジング側壁から突出するように形成されている。位置決めリブ４７は、第一コネクタ１及び第二コネクタ２を組み合わせた状態、且つ第三コネクタ３に嵌合させた状態で、第一コネクタ１及び第二コネクタ２の側面側に位置するように形成されている。また、第一コネクタ１又は第二コネクタ２を単独で第三コネクタ３に嵌合させた状態では、第一コネクタ１又は第二コネクタ２の下面側に位置するように形成されている。
【００４８】
上記構成及び構造において、図９に示す如く第四コネクタ４を第三コネクタ３に対して嵌合させると、言い換えれば上下に合体した状態の第一コネクタ１及び第二コネクタ２を図中の矢印方向に移動させて第三コネクタ３に対し嵌合させると、第一コネクタ１、第二コネクタ２、及び第三コネクタ３（第四コネクタ及び第三コネクタ３）の嵌合及び電気的な接続が完了する。尚、第四コネクタ４となる第一コネクタ１及び第二コネクタ２は、合体構造部２４、２９の構造によってガタ付きなく嵌合する。
【００４９】
また、上記構成及び構造において、特に図示しないが、第一コネクタ１を第三コネクタ３に対して嵌合させると（第二コネクタ２を第三コネクタ３に対して嵌合させると）、第一コネクタ１及び第三コネクタ３の嵌合及び電気的な接続が完了する（第二コネクタ２及び第三コネクタ３の嵌合及び電気的な接続が完了する）。
【００５０】
以上、図１ないし図９を参照しながら説明してきたように、本発明によれば、極数が多いコネクタであっても、且つ挿通する貫通孔５のサイズが小さくても、且つ挿通する貫通孔のサイズ変更をしなくても（貫通孔５を大きくしなくても）、貫通孔５の一方側７でコネクタ同士の嵌合を行うことができるという効果を奏する。また、一回の嵌合作業で電気的な接続を完了させることができるという効果を奏する（本発明は、極数が多い場合、第一コネクタ１及び第二コネクタ２に分割することにより、限られた場所への挿通作業をすることができるという効果を奏する。また、本発明は、第一コネクタ１及び第二コネクタ２を組み合わせて第四コネクタ４を形成することにより、第三コネクタ３に対する嵌合作業を一回で済ませることができるという効果を奏する）。
【００５１】
さらに、本発明によれば、極数に応じた使い分けをすることができるという効果を奏する。さらにまた、本発明によれば、極数に応じた使い分けによって、部品管理を容易にすることや、部品点数の増加抑制をすることができるという効果を奏する。
【００５２】
本発明は本発明の主旨を変えない範囲で種々変更実施可能なことは勿論である。
【００５３】
上記説明において、第四コネクタ４はハーネス用コネクタに、第一コネクタ１及び第二コネクタ２は分割コネクタ又はハーネス用コネクタに、第三コネクタ３はミラー用コネクタに、壁６はインナパネルに読み替えても良いものとする（読み替えの名称は一例であるものとする）。
【符号の説明】
【００５４】
１  第一コネクタ
２  第二コネクタ
３、３′  第三コネクタ
４  第四コネクタ
５  貫通孔
６  壁
７  一方側
８  第一コネクタハウジング
９  第二コネクタハウジング
１０  他方側
１１、１３  電線
１２  第三コネクタハウジング
２１、４１  端子収容室
２２、４２  スペーサ
２３、４３  ロック部
２４、２９  合体構造部
２５  リブ
２６  ボス
２７  スライド部分
２８、３３  摺接面
３０  リブ受け部
３１  凹部
３２  ガイド部分
３４  係止部分
４４  ロッキングアーム
４５  固定部
４６  コネクタ嵌合部
４７  位置決めリブ
【図１】
2010170702.tif 000003
【図２】
2010170702.tif 000004
【図３】
2010170702.tif 000005
【図４】
2010170702.tif 000006
【図５】
2010170702.tif 000007
【図６】
2010170702.tif 000008
【図７】
2010170702.tif 000009
【図８】
2010170702.tif 000010
【図９】
2010170702.tif 000011